(57)【要約】【課題】複数の独立した電源コンセントを持つ構造により、様々な異なる形状、サイズのプラグの使用に適する複数コード型拡張コンセントを提供する。【解決手段】複数コード型拡張コンセントであって、その構成にはプラグが含まれており、当該プラグには本体および第1電極端子、第2電極端子が含まれる。プラグ本体からは複数の電源コードが伸び、これらの各電源コードはいずれも一つのコンセントを備え、各コンセントは少なくとも第1差込口と第2差込口を備える。上述の各電源コードはいずれも第1導電線と第2導電線を有しており、そのうち第1導電線は上述のプラグの第1電極端子とコンセントの第1差込口をつないでおり、第2導電線は上述のプラグの第2電極端子とコンセントの第2差込口をつないでいる。【選択図】図１
0003127055.tif 000002
【実用新案登録請求の範囲】
【請求項１】
複数コード型拡張コンセントであって、その構成にはプラグを含み、当該プラグには本体と第1電極端子、第2電極端子が含まれており、その特徴として、上述のプラグ本体からは複数の電源コードが伸び、これらの各電源コードはいずれも一つのコンセントを備え、各コンセントは少なくとも第1差込口と第2差込口を有しており、また、これらの各電源コードはいずれも第1導電線と第2導電線を備えており、そのうち第1導電線は上述のプラグの第1電極端子とコンセントの第1差込口をつないでおり、第2導電線は上述のプラグの第2電極端子とコンセントの第2差込口をつないでいる複数コード型拡張コンセント。
【請求項２】
請求項1に記載された複数コード型拡張コンセントにおいて、プラグ本体の第1電極端子および第2電極端子側の一端の幅がやや狭くなっている複数コード型拡張コンセント。
【請求項３】
請求項1に記載された複数コード型拡張コンセントにおいて、プラグが第3電極端子を備え、なおかつ少なくとも一つのコンセントが第3差込口を備えており、当該第3電極端子とコンセントの第3差込口が電源コードの第3導電線によりつながれている複数コード型拡張コンセント。
【考案の詳細な説明】
【技術分野】
【０００１】
本考案は、一種の複数コード型拡張コンセントに係り、特に、複数の独立した電源コンセントがプラグ本体から伸びる構造のコンセントに関するものである。
【背景技術】
【０００２】
家庭あるいは電気器具の使用場所において、電源コンセントが固定の位置に取り付けられており、電気器具を使用する位置がコンセントから離れていて、なおかつ当該電気器具の電源コードの長さが十分ではない場合、延長コードコンセントを使用しなければならない。しかし、既存の複数口タイプの延長コードコンセントでは、やや大型の特殊プラグあるいはACアダプターを差し込むと、その特殊プラグあるいはACアダプター1つだけでコンセント口2つ分のスペースを塞いでしまい、いくつかのコンセント口が使用できなくなる。一部の延長コードコンセントでは、この現象を改善するため、部分的にコンセントの間隔を適度に広げ、特殊プラグあるいはACアダプターを差し込むようにしているが、この改良方式では装置全体が大幅に大きくかつ長くなり、製造コストが相対的に増加するうえ、使用時にも場所をとることから、明らかに理想的とはいえない。
【考案の開示】
【考案が解決しようとする課題】
【０００３】
本考案の主な目的は、コンセントを使用する際、隣接する未使用のコンセント口が大きすぎるプラグに塞がれて使用できなくなる問題を解決することである。
【課題を解決するための手段】
【０００４】
本考案の複数コード型拡張コンセントの構成にはプラグが含まれており、当該プラグには本体および第1電極端子、第2電極端子が含まれている。また、上述のプラグ本体からは複数の電源コードが伸び、これらの各電源コードはいずれも一つのコンセントを備え、各コンセントは少なくとも第1差込口と第2差込口を備えている。前述の各電源コードはいずれも第1導電線と第2導電線を有しており、各電源コードの第1導電線は上述のプラグの第1電極端子とコンセントの第1差込口をつないでおり、各電源コードの第2導電線は上述のプラグの第2電極端子とコンセントの第2差込口をつないでいる。
【０００５】
上述のプラグにおいて、(一部のプラグは)第1電極端子と第2電極端子側の一端の幅がやや狭くなっている。
上述の複数コード型拡張コンセントにおいて、プラグが第3電極端子を備えているものは、複数の電源コードについているコンセントのうち、少なくとも一つのコンセントが第3差込口を有しており、当該第3電極端子とコンセントの第3差込口は、電源コードの第3導電線によりつながれている。
【考案の効果】
【０００６】
本考案は以下の長所を有する。
1.  体積が小さく、場所をとらない。
2.  コンセントがそれぞれに独立しており、やや大型のプラグを差し込んでも、他のコンセントの使用に影響しない。
3.  一般的なプラグ、特殊プラグおよびACアダプター等を同時に使用できる。
【考案を実施するための最良の形態】
【０００７】
まず、第1図を用いて本考案の第1実施例を説明する。第1実施例の構成にはプラグ(1)を含み、これには本体(11)と第1電極端子(12)、第2電極端子(13)が含まれる。プラグ本体(11)からは2本の電源コード(2)が伸び、これらの各電源コード(2)はいずれも一つのコンセント(3)を備え、各コンセント(3)はいずれも第1差込口(31)と第2差込口(32)を備える。また、各電源コード(2)はいずれも第1導電線(21)と第2導電線(22)を有しており、各電源コード(2)の第1導電線(21)は上述のプラグ(1)の第1電極端子(12)と各コンセント(3)の第1差込口(31)をつないでおり、各電源コード(2)の第2導電線(22)は上述のプラグ(1)の第2電極端子(13)と各コンセント(3)の第2差込口(32)をつないでいる。
【０００８】
第2図を用いて本考案の第2実施例を説明する。第2実施例の構成にはプラグ(1A)を含み、これには本体(11A)と第1電極端子(12A)、第2電極端子(13A)が含まれる。上述のプラグ本体(11A)の第1電極端子(12A)および第2電極端子(13A)側の一端は、実施の際に(当該プラグを差し込むコンセントの)隣のコンセントの使用に影響を与えないよう、幅がやや狭くなっている。プラグ本体(11A)の、幅がやや広い側の一端からは3本の電源コード(2A)が伸び、これらの各電源コード(2A)はいずれも一つのコンセント(3A)を備え、各コンセント(3A)は少なくとも第1差込口(31A)と第2差込口(32A)を備える。また、各電源コード(2A)はいずれも第1導電線(21A)と第2導電線(22A)を有しており、各電源コード(2A)の第1導電線(21A)は上述のプラグ(1A)の第1電極端子(12A)と各コンセント(3A)の第1差込口(31A)をつないでおり、各電源コード(2A)の第2導電線(22A)は上述のプラグ(1A)の第2電極端子(13A)と各コンセント(3A)の第2差込口(32A)をつないでいる。
【０００９】
第3図を用いて本考案の第3実施例を説明する。第3実施例の構成にはプラグ(1B)を含み、これには本体(11B)と第1電極端子(12B)、第2電極端子(13B)、第3電極端子(14B)が含まれる。プラグ本体(11B)からは2本の電源コード(2B) (2C)が伸び、そのうち電源コード(2B)はコンセント(3B)一つを備え、もう1本の電源コード(2C)もコンセント(3C)一つを備える。電源コード(2B)は第1導電線(21B)と第2導電線(22B)を有しており、これに対応するコンセント(3B)は、第1差込口(31B)と第2差込口(32B)を備えている。もう1本の電源コード(2C)は第1導電線(21C)、第2導電線(22C)および第3導電線(23C)を有しており、これに対応するコンセント(3C)は、第1差込口(31C)、第2差込口(32C)および第3差込口(33C)を備えている。電源コード(2B)の第1導電線(21B)は上述のプラグ(1B)の第1電極端子(12B)とコンセント(3B)の第1差込口(31B)をつないでおり、電源コード(2B)の第2導電線(22B)は上述のプラグ(1B)の第2電極端子(13B)とコンセント(3B)の第2差込口(32B)をつないでいる。また、電源コード(2C)の第1導電線(21C)は上述のプラグ(1B)の第1電極端子(12B)とコンセント(3C)の第1差込口(31C)をつないでおり、電源コード(2C)の第2導電線(22C)は上述のプラグ(1B)の第2電極端子(13B)とコンセント(3C)の第2差込口(32C)をつないでおり、電源コード(2C)の第3導電線(23C)は上述のプラグ(1B)の第3電極端子(14B)とコンセント(3C)の第3差込口(33C)をつないでいる。
【図面の簡単な説明】
【００１０】
【図１】本考案の第1実施例を示した概略平面図である。
【図２】本考案の第2実施例を示した概略平面図である。
【図３】本考案の第3実施例を示した概略平面図である。
【符号の説明】
【００１１】
(1)         プラグ
(11)         本体
(12)         第1電極端子
(13)         第2電極端子
(2)         電源コード
(21)         第1導電線
(22)         第2導電線
(3)         コンセント
(31)        第1差込口
(32)        第2差込口
(1A)        プラグ
(11A)      本体
(12A)      第1電極端子
(13A)      第2電極端子
(2A)        電源コード
(21A)      第1導電線
(22A)      第2導電線
(3A)        コンセント
(31A)      第1差込口
(32A)      第2差込口
(1B)        プラグ
(11B)      本体
(12B)       第1電極端子
(13B)       第2電極端子
(14B)      第3電極端子
(2B)        電源コード
(21B)      第1導電線
(22B)      第2導電線
(3B)        コンセント
(31B)       第1差込口
(32B)       第2差込口
(2C)        電源コード
(21C)      第1導電線
(22C)      第2導電線
(23C)      第3導電線
(3C)        コンセント
(31C)      第1差込口
(32C)       第2差込口
(33C)       第3差込口
【図１】
0003127055.tif 000003
【図２】
0003127055.tif 000004
【図３】
0003127055.tif 000005